(57)【要約】【課題】蛍光ランプ装置を薄形、小型化すると共に、簡単に蛍光ランプの増設ができるようにし、その明るさが調整できるようにする。【解決手段】蛍光ランプ２を点灯させる点灯回路１３を内蔵する本体部１０と、前記本体部１０の側面から延長されて前記蛍光ランプ２を保持するランプ保持手段２０と、前記本体部１０の一面に設けられ雄型接続端を有する口金１１と、前記本体部１０の一面に対する裏面に設けられ雌型接続端を有する受け金とを有し、前記口金１１または前記受け金１２は同様の受け金または口金に挿入しその挿入方向に対して所定角度回転されることにより、その受け金または口金に固定される。【選択図】図１
2008171722.tif 000002
【特許請求の範囲】
【請求項１】
蛍光ランプを点灯させる点灯回路を内蔵する本体部と、前記本体部の側面から延長されて前記蛍光ランプを保持するランプ保持手段と、前記本体部の一面に設けられ雄型接続端を有する口金とを有し、
この口金は雌型接続端を有する受け金に挿入しその挿入方向に対して所定角度回転してその受け金に固定されることを特徴とする蛍光ランプ装置。
【請求項２】
蛍光ランプを点灯させる点灯回路を内蔵する本体部と、前記本体部の側面から延長されて前記蛍光ランプを保持するランプ保持手段と、前記本体部の一面に対する裏面に設けられ雌型接続端を有する受け金とを有し、
この受け金は雄型接続端を有する口金に挿入されその挿入方向に対して所定角度回転してその口金に固定されることを特徴とする蛍光ランプ装置。
【請求項３】
蛍光ランプを点灯させる点灯回路を内蔵する本体部と、前記本体部の側面から延長されて前記蛍光ランプを保持するランプ保持手段と、前記本体部の一面に設けられ雄型接続端を有する口金と、前記本体部の一面に対する裏面に設けられ雌型接続端を有する受け金とを有し、
前記口金または前記受け金は同様の受け金または口金に挿入しその挿入方向に対して所定角度回転してその受け金または口金に固定されることを特徴とする蛍光ランプ装置。
【請求項４】
前記口金が、円筒形の第１突起と、前記円筒形の突起の外周上に対向して棒状に立てられ先端が太くなった２本の第２突起とをもつ薄型の口金からなる請求項１，２または３記載の蛍光ランプ装置。
【請求項５】
前記受け金が、前記第１突起が挿入される第１受け口と、前記第２突起が挿入しその挿入方向に対して所定角度回転することにより前記口金を固定しかつ接続される２個の第２受け口とをもつ請求項１，２または３記載の蛍光ランプ装置。
【請求項６】
前記口金または前記受け金が、ＧＸ５３型の口金または受け金である請求項４または５記載の蛍光ランプ装置。
【請求項７】
請求項１または請求項２記載の蛍光ランプ装置の口金に請求項２または３記載の蛍光ランプ装置の受け金を接続しこれら蛍光ランプ装置を重ねて構成することを特徴とする蛍光ランプ装置。
【請求項８】
前記２個の蛍光ランプ装置を重ねて構成する蛍光ランプ装置において、前記蛍光ランプの大きさが同一または異なるものである請求項７記載の蛍光ランプ装置。
【請求項９】
請求項７記載の蛍光ランプ装置に、さらに請求項３記載の蛍光ランプ装置を重ねて接続したことを特徴とする蛍光ランプ装置。
【発明の詳細な説明】
【技術分野】
【０００１】
本発明は、蛍光ランプ装置に関し、特に蛍光ランプを増設できる蛍光ランプ装置に関する。
【背景技術】
【０００２】
一般に、蛍光ランプや照明器具を取り付けるとき、その電源供給部は１カ所となっている。このように電源供給部が１カ所しかないため、例えば、照明をより明るくするためには、照明器具を買い換えるか、照明器具や蛍光ランプを増設するための追加電気工事が必要であった。
【０００３】
例えば、従来の蛍光ランプ用照明装置として、特許文献１（特開平１０−１８８６２０号）に示されたものがある。図９（ａ）（ｂ）は従来例の蛍光ランプ装置１ｃの底面図およびその装置の断面図である。図に示すように、蛍光ランプ装置１ｃは、器具本体５０、周縁側の４つの第１のランプ装着手段５１、中央の第２のランプ装着手段５２、セード５３を備え、同じランプ電力および同じランプ外径の４本の環形蛍光ランプ、すなわち３本の第１の環形蛍光ランプ２ｂと１本の第２の環形蛍光ランプ２ｃを使用する４灯形の天井直付形照明器具に構成されている。
【０００４】
各環形蛍光ランプ２ｂ，２ｃは、環状のバルブおよびバルブの両端間に設けられた口金を有し、バルブの両端には図示しない電極が封止される。これらの環形蛍光ランプ２ｂ，２ｃは、専用のインバータ回路を備えた点灯装置１３ａによって高周波点灯される。
【０００５】
器具本体５０は、円盤状の基板５４を有し、この基板５４の周縁部から下方に縁部が折曲形成されている。基板５０の中央には、例えば天井面に設置される引掛シーリングに取り付けられる簡易取付形の器具取付部５５、および配線用の開口部５６が形成されている。器具本体５０の周縁部の３箇所は各第１のランプ装着手段５１によって３つの第１の環形蛍光ランプ２ｂがほぼ同一平面上に配置され、器具本体５０の中央部は第２のランプ装着手段５２によって第２の環形蛍光ランプ２ｃが配置される。
【０００６】
各ランプ装着手段５１、５２は、ランプホルダ６１とランプソケット６２を有する。ランプホルダ６１は、例えば板ばね製で、各環形蛍光ランプ２ｂ，２ｃのバルブを着脱可能に保持する。ランプソケット６２は、各環形蛍光ランプ２ｂ，２ｃの口金を着脱可能に保持するホルダ部が一体に形成された例えば合成樹脂製で、各環形蛍光ランプ２ｂ，２ｃの口金のランプピンが接続される。
【０００７】
各第１のランプ装着手段５１は、器具本体５０のほぼ同一平面上に第１の環形蛍光ランプ２ｂを配置するものであり、ランプホルダ６１とランプソケット６２が１つずつ用いられ、これらランプホルダおよびランプソケットが器具本体５０の円周方向に沿った対称位置に配置される。
【０００８】
第２のランプ装着手段５２は、第１のランプ装着手段５１によって配置される各第１の環形蛍光ランプ２ｂにそれぞれ一部が重なるとともにその各重なり部分が各第１の環形蛍光ランプ２ｂの内径部より中心部側に位置して第２の環形蛍光ランプ２ｃを配置するものであり、２つのランプホルダ６１と１つランプソケット６２が用いられる。これらランプホルダおよびランプソケットは、第１のランプ装着手段５１によって配置される第１の環形蛍光ランプ２ｂの外側で、隣接する第１の環形蛍光ランプ２ｂの間にそれぞれ配置され、すなわち第２の環形蛍光ランプ２ｃの円周上の１２０゜毎の位置に対応して配置される。
【０００９】
また、器具本体５０の下面には、対応する各環形蛍光ランプ２ｂ，２ｃを高周波点灯させるインバータ回路を有する複数の点灯装置１３ａがそれぞれ取り付けられる。これらの各点灯装置１３ａの出力側には、対応するランプソケット６２が電気的に接続され、そのランプソケットを通じて対応する環形蛍光ランプ２ｂ，２ｃに高周波交流電源を供給する。
【００１０】
また、器具本体５０の下面には、セード５３を器具本体５０に着脱可能に取り付けている。このセード５３は、各環形蛍光ランプ２ｂ，２ｃなどを覆って器具本体１に取り付けられる。セード５３の上面には器具本体５０の直径よりやや小径の開口部が形成され、この開口部の縁部から器具本体５０の縁部の内側に係合される立上部が形成されている。この立上部には器具本体５０のセード取付具５９に着脱可能に取り付けられる。
【００１１】
第１のランプ装着手段５１によって３つの第１の環形蛍光ランプ２ｂを器具本体５０の周縁側に沿ってほぼ同一平面上に配置し、第２のランプ装着手段５２によって第２の環形蛍光ランプ２ｃを器具本体５０の中央に配置する。そのため、第２のランプ装着手段によって器具本体５０の中央に配置される第２の環形蛍光ランプ２ｃバルブの一部が、周縁側の各第１の環形蛍光ランプ２ｂの下側に重なるとともに、その各重なり部分が周縁側の各第１の環形蛍光ランプ２ｂの内径部より中心部側に入り込んだ状態に位置して配置される。
【００１２】
従って、第１のランプ装着手段５１によってほぼ同一平面上に配置される周縁側の各第１の環形蛍光ランプ２ｂの中心部に第２のランプ装着手段によって配置される中央側の第２の環形蛍光ランプ２ｂのバルブの一部が近接配置されるので、周縁側の各第１の環形蛍光ランプ２ｂの中心部を明るくできる。また、重ねて配置される各環形蛍光ランプ２ｂ，２ｃの重なり量が従来に比べて多くなるため、重なり量の少い従来に比べて、各環形蛍光ランプ２ｂ，２ｃの径方向に対応する方向の器具本体５０の大きさを小形にできる。
【００１３】
【特許文献１】特開平１０−１８８６２０号公報（図１，２、段落番号［００２０〜００３４］）
【発明の開示】
【発明が解決しようとする課題】
【００１４】
しかし、この従来技術では、環形蛍光ランプ２ｂ，２ｃの配置を工夫する事によって、器具本体５０の大きさを小形にすると共に、輻射雑音やラインノイズを抑制した照明器具が示されている。この場合、照明の明るさを調整するには、点灯させる環形蛍光ランプの数を制御すればよい。しかし、環形蛍光ランプ２ｂ，２ｃを平面的に配置しているため、器具本体５０の大きさが大きくなるという問題があった。さらに、蛍光ランプ装置の照明をより明るくするためには、照明器具を買い換えるか、照明器具や蛍光ランプを増設するための追加電気工事が必要であるという問題があった。
【００１５】
本発明の主な目的は、器具本体の大きさをさらに薄型化し、小形化すると共に、簡単に蛍光ランプの増設を可能とし、明るさを調整できるようにした蛍光ランプ装置を提供することにある。
【課題を解決するための手段】
【００１６】
本発明の蛍光ランプ装置の構成は、蛍光ランプを点灯させる点灯回路を内蔵する本体部と、前記本体部の側面から延長されて前記蛍光ランプを保持するランプ保持手段と、前記本体部の一面に設けられ雄型接続端を有する口金とを有し、この口金は雌型接続端を有する受け金に挿入しその挿入方向に対して所定角度回転してその受け金に固定されることを特徴とする。
【００１７】
本発明の他の蛍光ランプ装置の構成は、蛍光ランプを点灯させる点灯回路を内蔵する本体部と、前記本体部の側面から延長されて前記蛍光ランプを保持するランプ保持手段と、前記本体部の一面に対する裏面に設けられ雌型接続端を有する受け金とを有し、この受け金は雄型接続端を有する口金に挿入されその挿入方向に対して所定角度回転してその口金に固定されることを特徴とする。
【００１８】
本発明のまた他の蛍光ランプ装置の構成は、蛍光ランプを点灯させる点灯回路を内蔵する本体部と、前記本体部の側面から延長されて前記蛍光ランプを保持するランプ保持手段と、前記本体部の一面に設けられ雄型接続端を有する口金と、前記本体部の一面に対する裏面に設けられ雌型接続端を有する受け金とを有し、前記口金または前記受け金は同様の受け金または口金に挿入しその挿入方向に対して所定角度回転してその受け金または口金に固定されることを特徴とする。
【００１９】
本発明において、前記口金が、円筒形の第１突起と、電源線と接続され前記円筒形の外周上に対向して棒状に立てられ先端が太くなった２本の第２突起とをもつ薄型の口金からなることができ、また、前記受け金が、前記第１突起が挿入される第１受け口と、電源線と接続され前記第２突起が挿入しその挿入方向に対して所定角度回転することにより前記口金を固定しかつ接続される２個の第２受け口とをもつことができ、また前記口金または前記受け金が、ＧＸ５３型の口金または受け金であることができる。
【００２０】
本発明のさらに他の蛍光ランプ装置の構成は、前記口金、または前記口金および前記受け金を設けた蛍光ランプ装置の口金に、前記口金および前記受け金を設けた蛍光ランプ装置の受け金を接続し、これら蛍光ランプ装置を重ねた接続したことを特徴とする。
【００２１】
本発明において、前記２個の蛍光ランプ装置を重ねて構成する蛍光ランプ装置における、前記蛍光ランプの大きさが同一または異なるものであることができ、また、このように重ねて蛍光ランプ装置に、さらに前記口金および前記受け金を設けた蛍光ランプ装置を重ねて接続することもできる。
【発明の効果】
【００２２】
以上説明したように、本発明の蛍光ランプ装置の構成によれば、本体部の側面に蛍光ランプを保持しているので、装置が薄くでき、小型化できるという効果がある。また、表裏面に口金または受け金を設けているので、電源供給部を増やすことなく、蛍光ランプの増設が容易にでき、従って照明の明るさを容易に調節することができるという効果もある。
【発明を実施するための最良の形態】
【００２３】
次に図面により本発明の実施形態を説明する。図１（ａ）（ｂ）は本発明の一実施形態の蛍光ランプ装置の概略部分破断側面図およびその底面図である。この図１に示すように、本実施形態の蛍光ランプ装置１は、蛍光ランプの一例として環形蛍光ランプ２と、本体部１０と、環形蛍光ランプ２を支えるランプ保持手段の一例としてランプ保持部２０とから構成される。本体部１０の一面の外側には、雄型接続端を有する口金１１が設けられ、本体部１０の一面に対する裏面の外側には、雌型接続端を有する受け金１２が設けられる。これら口金１１と受け金１２は、互いに嵌合できるもので、所定角度回すことにより固定される形式のものである。
【００２４】
図２は図１の詳細断面図である。図のように、ランプ保持部２０は、本体部１０の側面から外側に延長されてランプ把持部２１につながる部分であり、ランプ把持部２１が、環状蛍光ランプ２を把持している。
【００２５】
図３は図１の配線図である。雄型接続端を有する口金１１には電源線１６が接続され、口金１１からの電源線１６が点灯回路１３に接続され、この点灯回路１３の出力がランプソケット１４に供給され、ランプソケット１４から環形蛍光ランプ２のランプ電極３に接続される。また、口金１１からの電源線１６と並列に送り側の電源線１６ａが接続され、受け金１２に接続される。
【００２６】
口金１１に入力電源が供給されると、口金１１から入力した電気エネルギーが蛍光ランプの点灯回路１３に供給される。この点灯回路１３は、入力した電源の電気エネルギーを整流・高周波変換して環状蛍光ランプ２に出力する。なお、ランプ保持部２０は、その内部の配線を経由してランプ点灯回路１３からの電流を環形蛍光ランプ２に供給している。また、口金１１から入力した電気エネルギーは、電源線１６ａを介して雌型接続端を有する受け金１２にも供給される。
【００２７】
本実施形態は、蛍光ランプ装置１の本体部１０の表裏面に、口金１１と受け金１２とを設け、これら口金１１および受け金１２は、外部（他の装置）にある受け金１２または口金１１に挿入して所定角度回すことによって、互いに接続し固定されることを特徴とする。
【００２８】
次に、これら口金１１および受け金１２について説明する。この蛍光ランプ装置の口金１１の構造は、図４（ａ）（ｂ）の口金部３０の平面図およびその側断面図に示される。口金部３０は、円筒形の第１突起である円筒突起３１と、円筒形の外周上に対向して棒状に立てられ先端が太くなった２本の第２突起である口金突起３２とを有する薄型の口金となっている。また、円筒突起３１の外周の１箇所に凸部のストッパ３３を設けている。なお、口金部３０の２個の口金突起３２は導体からなり、図示されない内部で、電源線１６、１６ａに接続される。
【００２９】
また。蛍光ランプ装置の受け金１２の構造は、図５（ａ）（ｂ）の受け金部４０の側断面図およびその平面図に示される。受け金部４０が、円筒突起３１が挿入される第１受け口である円筒挿入孔４１と、口金突起３２が挿入される２個の第２受け口である口金挿入孔４２とを持っている。口金挿入孔４２は、口金突起３２の太い先端が挿入される広口部とこの広口部から延長した口金突起３２の軸が挿入できる長尺の細口部からなる。口金挿入孔４２は、円筒突起３１がその中心軸で回転された時、口金突起３２が所定角α回転できる大きさになっている。なお、受け金部４０の２個の口金挿入孔４２は導体からなり、図示されない内部で、電源線１６ａに接続される。
【００３０】
また、円筒挿入孔４１の外周には、所定幅の溝部のストッパ４３を設けている。このストッパ４３の溝部は円筒突起３１上のストッパ３３が挿入され、円筒突起３１がその中心軸で回転した時、所定角度α回した位置で停止する回転止めとなる所定幅となっている。この円筒突起３１上のストッパ３３は、円筒挿入孔４１のストッパ４３の溝部に挿入され、円筒突起３１がその中心軸で回転された時、所定角度α回した位置で停止することができる。
【００３１】
本実施形態の構造によれば、点灯回路（安定器）１３を内蔵したケースの本体部１０を設け、この本体部１０の一面には、雄型接続端を有する口金１１を設置し、さらに、この口金１１と対向する本体部１０の裏面に雌型接続端を有する受け金１２を設けている。これら口金１１と受け金１２とは、同様の受け金と口金に挿入しその挿入方向に対して所定角度α回転してその受け金または口金に固定する事ができる。
【００３２】
従って、この蛍光ランプ装置の本体部１０の表裏面に口金１１と受け金１２とを設け、本体部１０の側面に蛍光ランプ２を保持しているので、口金と受け金との直付けができ、薄型の蛍光ランプ装置を実現することができる。
［実施例１］
図４，５は本実施形態に用いられる口金１１および受け金１２の一実施例を説明する図面である。  図４（ａ）（ｂ）は口金１２の平面図および部分破断正面図である。この図の口金部３０において、ＪＩＳ  Ｃ  ７７０９−１にＩ規定されたＧＸ５３形の場合、外径寸法Ａが７５ｍｍ、円筒突起３１の外径寸法Ｃが４２ｍｍ、２つの口金突起３２の間隔Ｂは５２ｍｍで、回される所定角度αが１５°となっている。また、円筒突起３１の高さＤが９．５ｍｍ、口金突起３２の高さＥが４．５ｍｍで、先端の太さが５ｍｍ、軸の太さが３ｍｍとなっている。この口金１１を本体部１０の取り付けた場合の２つの口金突起３２には、電源線が接続され、内部回路への電源が供給される。
【００３３】
また、図５（ａ）（ｂ）は受け金１２の部分破断正面図および平面図である。この受け金部４０において、ＪＩＳ  Ｃ  ７７０９−２にＩ規定されたＧＸ５３形の場合、外径寸法Ａ’が７５ｍｍ、円筒突起３１が挿入する円筒挿入孔４２の内径寸法Ｃ’が４３ｍｍ、口金挿入孔４２の間隔Ｂ’は５２ｍｍである。この口金挿入孔４２は、口金突起３２の挿入できる寸法になっており、円筒突起３１がその中心軸で回転される時、その回転される所定角度αは１５°となっている。
【００３４】
口金挿入孔４２の大きさは口金突起３２の先端が入る箇所が広く、軸が入る箇所が狭くなった形状となっており、この構造により口金突起３２が口金挿入孔４２に挿入されて所定角度（α）１５°回ることができ、そして円筒突起３１の回転がストッパ３３，４３により制限され停止できるようになっている。
１２を設けたもう１つの蛍光ランプ装置の受け金１２に挿入し、これら蛍光ランプ装置の口金１１または、受け金１２を１５°回転させることにより、これら口金１１、受け金１２を固定し、電源接続する事ができる。従って、ＧＸ５３形の口金と受け金との直付けができ、薄型の蛍光ランプ装置を実現することができる。
［実施例２］  本実施例の構成によれば、口金１１を設けた１つの蛍光ランプ装置の口金１１に、受け金
図６は本発明の第２の実施例の蛍光ランプ装置の部分破断正面図で、蛍光ランプ装置１を２個組み合わせた場合を示している。本実施例は、２個の蛍光ランプ装置１のうちの１個の蛍光ランプ装置１の受け金１２に、もう１個の蛍光ランプ装置１の口金１１を取り付けて重ねて接続したものである。この場合、蛍光ランプ装置１の口金１１から点灯回路１３に電源線１６が接続されると共に、その口金１１から受け金１２にも電源線１６ａが接続されている。
【００３５】
この場合は、１個の蛍光ランプ装置１では明るさが不十分なとき、もう１個の蛍光ランプ装置１を重ねて接続することにより、２個の蛍光ランプ装置１になるため、約２倍の明るさにすることができる。従って、２個の蛍光ランプ装置１を連結すると同時に、その電源供給することも可能となる。また、２個の蛍光ランプ装置のみならず、さらに、蛍光ランプ装置１を他の蛍光ランプ装置１に重ねて、明るさを調整することも可能となる。
【００３６】
本実施例によれば、同じ構造の蛍光ランプ装置を何重にも連結して取り付けることが可能となり、要求に合わせた明るさの蛍光ランプ装置を容易に構成することができる。さらに、本体部１０の側面で蛍光ランプ２を保持する構造になっているので、装置全体を薄くすることができる。
［実施例３、４］
図７（ａ）（ｂ）は本発明の第３，４の実施例の蛍光ランプ装置を説明する配線図である。本発明の第３の実施例としては、図７（ａ）の場合であり、蛍光ランプ装置１に、受け金（１２）に接続できる口金１１のみ取り付け、受け金１２を取り付けない場合である。この場合は、蛍光ランプ装置１を１個のみで用いる場合と、連結した蛍光ランプ装置の一番下側に取り付け接続される蛍光ランプ装置として用いる場合とがある。すなわち、蛍光ランプ装置１を１個のみの場合、また重ね合わせる蛍光ランプ装置１が最下段の場合には、蛍光ランプ装置を追加接続する必要がないので、受け金１２を取り付ける必要がなくなり、装置が簡単化される。
【００３７】
本発明の第４の実施例としては、図７（ｂ）の場合である。これは、蛍光ランプ装置１に、口金（１１）に接続できる受け金１２のみ取り付け、口金１１を取り付けない場合である。この場合は、他の蛍光ランプ装置１を連接する場合である。この図では、電源が電源プラグ１５に接続している場合を示している。この場合は、天井の一番上側に接続される蛍光ランプ装置１とすることができる。なお、このような電源プラグ１５以外に、天井電源に直接接続する場合や、シーリングローゼットを取り付け電源コードに接続する場合もある。
【００３８】
これら第３，４の実施例の場合には、口金１１または受け金１２の一方が不要となるので、蛍光ランプ装置の構成が簡単化され、安価になると共に、その外観もスマートになるという効果もある。
［実施例５］
図８（ａ）（ｂ）は本発明の第５の実施例を説明する蛍光ランプ装置の部分破断正面図である。ここでは、環形蛍光ランプ２の大きさが異なる場合を示している。図６では同じ大きさの環形蛍光ランプ２を持った蛍光ランプ装置１を重ねた場合を示したが、図８（ａ）の場合は、ある大きさの環形蛍光ランプ２よりも大きい環形蛍光ランプ２ａを持った蛍光ランプ装置１ｂを蛍光ランプ装置１に重ねた場合を示している。
【００３９】
この場合には、本体部１０に固定されるランプ保持部２０の大きさ（長さ）も、環形蛍光ランプ２ａに対応して大きくし、また点灯回路も蛍光ランプに対応して変更する必要がある。
【００４０】
また、図８（ｂ）は、図６の２個の蛍光ランプ装置１を重ねた場合に、さらに大きい環形蛍光ランプ２ａを持った蛍光ランプ装置１ｂを重ねて３個の蛍光ランプ装置にした場合を示している。この場合には、合計３個の蛍光ランプ装置を重ねたので、さらに明るくなることは明らかである。
【００４１】
これらの実施例のように、蛍光ランプの大きさや、蛍光ランプの取り付け数を任意に調整することができるので、必要な明るさに対応することができるという特徴がある。
【産業上の利用可能性】
【００４２】
本発明の蛍光ランプ装置として、環形蛍光ランプについて説明したが、ランプ保持手段を直管蛍光ランプに適用できるようにすれば、直管蛍光ランプにも適用することができる。例えば、本体部の両横側に延長したランプ保持手段を用いればよい。また、蛍光ランプ装置を上下に重ねた場合を説明したが、蛍光ランプを縦向きに配置することもできる。
【図面の簡単な説明】
【００４３】
【図１】（ａ）（ｂ）は本発明の第１の実施形態を説明する蛍光ランプ装置の概略の部分破断正面図および平面図である。
【図２】図１の蛍光ランプ装置の詳細断面図である。
【図３】図１の蛍光ランプ装置の配線図である。
【図４】（ａ）（ｂ）は本発明の第１の実施例に用いる口金の平面図および部分破断正面図である。
【図５】（ａ）（ｂ）は図３の口金に対向して用いる受け金の部分破断正面図および平面図である。
【図６】本発明の第２の実施例の蛍光ランプ装置で、安定器内蔵蛍光ランプを組み合わせた場合の部分破断正面図である。
【図７】（ａ）（ｂ）は本発明の第３，４の実施例の蛍光ランプ装置の構成を示す配線面図である。
【図８】（ａ）（ｂ）は本発明の第５の実施例を説明する蛍光ランプ装置の部分破断正面図である。
【図９】（ａ）（ｂ）は従来例の蛍光ランプ装置の配置を説明する底面図およびその断面図である。
【符号の説明】
【００４４】
１，１ｂ，１ｃ    蛍光ランプ装置
２，２ａ，２ｂ，２ｃ    環形蛍光ランプ
３    ランプ電極
１０，１０ａ，１０ｂ    本体部
１１    口金（キャップ）
１２    受け金（ホルダ）
１３，１３ａ    点灯回路（装置）
１４    ランプソケット
１５    （電源）プラグ
１６，１６ａ    電源線
２０    ランプ保持部
２１    ランプ把持部
３０    口金部
３１    円筒突起
３２    口金突起
３３，４３    ストッパ
４０    受け具
４１    円筒挿入孔
４２    口金挿入孔
５０    器具本体
５１，５２    ランプ装着手段
５３    セード
５４    基板
５５    器具取付部
５６    配線開口部
５７，５８    ランプ装着部
５９    セード取付具
【図１】
2008171722.tif 000003
【図２】
2008171722.tif 000004
【図３】
2008171722.tif 000005
【図４】
2008171722.tif 000006
【図５】
2008171722.tif 000007
【図６】
2008171722.tif 000008
【図７】
2008171722.tif 000009
【図８】
2008171722.tif 000010
【図９】
2008171722.tif 000011